(57)【要約】      （修正有）【課題】作物の生産量と品質の向上に寄与する植物栽培装置を提供する。【解決手段】発泡スチロールといった保温素材で製造され、底板と、これに接続された左側板１２、右側板１３、前板１４、後板１５とを有し、上向きの開口を有する第１収納空間が形成されることで、底板の底面から上方へ第１収納空間と連通した排水孔が設置されるベース部１０と、ベース部に位置決めされた第１収納空間内に設置され、プラスチック素材で製造され、少量の栽培培地を収納するための、上向きの開口を有する第２収納空間２１を有し、その周側の底部から所定の高さのところにいくつの貫通孔２２が設置されるバッグ２０とを少なくとも備える。【選択図】図１
0003198205.tif 000002
【実用新案登録請求の範囲】
【請求項１】
発泡スチロール保温素材で製造され、底板と、底板にそれぞれ接続される左側板・右側板・前板・後板とを有し、それによって上向きの開口を有する第1収納空間が形成されることで、底板の底面から上方へ前記第1収納空間と連通する排水孔が設置されるベース部と、
ベース部に位置決めされる第1収納空間内に設置され、プラスチック素材で製造され、少量の栽培培地を収納するための、上向きの開口を有する第2収納空間を有し、その(即ちバッグの)周側において底部から所定の高さのところにいくつの貫通孔が設置されるバッグと、
を少なくとも備えたことを特徴とする植物栽培装置。
【請求項２】
前記バッグの第２収納空間に収納される栽培培地の量は１〜１．５リットルで、バッグの周側の貫通孔とバッグ底部との距離は２〜８センチであることを特徴とする請求項１に記載の植物栽培装置。
【考案の詳細な説明】
【技術分野】
【０００１】
本考案は、植物栽培装置に関する。
【背景技術】
【０００２】
バッグ栽培（bag culture）は植物栽培方法の一つである。バッグ栽培は大きな栽培用バッグを使用し、栽培バッグの中には大量の栽培土を収納して、トマトやイチゴ、その他の青果物を栽培する。
【考案の概要】
【考案が解決しようとする課題】
【０００３】
然しながら、公知のバッグ栽培には少なくとも連作障害（continuous cropping obstacles）の悩みが付き纏っていた。いわゆる連作障害とは同じ科又は同じ種類の野菜を連続して栽培すると、土壌の栄養バランスが崩れることを云い、つまり、土壌が不健康となり、一部の作物には栽培の際、自己毒性の現象がよく発生し、その根元で分泌された有毒物質が土壌に蓄積されて、後の生育に障害が起きることで、当然ながら野菜の生産量や品質が明らかに低下する。目下、連作障害を解決する方法の一つは、一期の作物の栽培が終わると、栽培バッグには病原菌が存在していることから、思い切って栽培バッグ全部を廃棄することである。従って、各栽培バッグの栽培培地（Planting Medium, Culture Medium）の量は少なくても１５リットル、多いと５０リットルとなり、このようにして、いつの間にか徒に栽培培地のコストが増大して、業者の悩みの種となっている。
【０００４】
そこで、本考案者は上記の欠点が改善可能と考え、鋭意検討を重ねた結果、合理的かつ効果的に課題を改善する本考案の提案に到った。
【０００５】
本考案は、以上の実情に鑑みなされたものであって、上記課題解決のため、本考案は、植物栽培装置を提供することを主目的とする。
【課題を解決するための手段】
【０００６】
上記の課題を解決し、目的を達成するために、本考案に係る植物栽培装置は、
発泡スチロールといった保温素材で製造され、底板と、これに接続された左側板、右側板、前板、後板とを有し、上向きの開口を有する第1収納空間が形成されることで、底板の底面から上方へ前記第1収納空間と連通した排水孔が設置されるベース部と、ベース部に位置決めされた第1収納空間内に設置され、プラスチック素材で製造され、少量の栽培培地を収納するための、上向きの開口を有する第2収納空間を有し、その周側の底部から所定の高さのところにいくつの貫通孔が設置されるバッグと、を少なくとも備えたことを特徴とする。
【考案の効果】
【０００７】
本考案のバッグに収納される栽培培地の量が少ないため、?期の作物栽培が終了すると、バッグと栽培培地を直接廃棄して新しいものに交換し、リサイクルしないので、連作障害の悩みを解決でき、作物の生産量と品質の向上に寄与する。
【図面の簡単な説明】
【０００８】
【図１】本考案の第１実施形態に係る植物栽培装置を説明する展開図である。
【図２】図１のベース部の２−２の断面線に沿ってなる断面模式図である。
【図３】図１のベース部を示す上面図である。
【図４】栽培培地を収納しないバッグがベース部に置かれる際の断面図である。
【図５】本考案の第１実施形態に係る植物栽培装置の使用状況を説明する概念図である。
【図６】本考案の第１実施形態に係る植物栽培装置の使用状況を説明する概念図である。
【図７】本考案の第２実施形態に係る植物栽培装置を説明する展開図である。
【図８】図７のベース部を示す上面図である。
【図９】図７のベース部の９−９の断面線に沿ってなる断面模式図である。
【図１０】本考案の第２実施形態に係る植物栽培装置の使用状況を説明する概念図である。
【図１１】本考案の第２実施形態に係る植物栽培装置の使用状況を説明する概念図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
［第１実施形態］
以下、第１実施形態を図１〜４に基づいて説明する。本考案の植物栽培装置は、発泡スチロールといった保温素材で製造され、底板１１とこれに接続された左側板１２、右側板１３、前板１４、後板１５とを有し、上向きの開口を有する第1収納空間１６が形成されることで、底板１１の底面から上方へ前記第1収納空間１６と連通した排水孔１１１を開設し、底板１１の頂面に間隔を開けて前記排水孔１１１と連通する複数の溝部１１２を開設し、前記左側板１２の上段に第１切欠き部１２１を開設し、右側板１３の上段に第２切欠き部１３１を対向して開設したベース部１０と、ベース部１０に位置決めされた第1収納空間１６内に設置され、プラスチック素材で製造され、少量の栽培培地を収納するための、上向きの開口を有する第2収納空間２１を有し、前記栽培培地の量は約１〜１．５リットルで、その周側の底部から所定の高さのところにいくつの貫通孔２２を開設し、前記の高さが２〜８センチでよいバッグ２０とを少なくとも備える。
【００１１】
上蓋３０は発泡スチロールといった保温素材で製造され、ベース部１０の頂部に位置決めされて、第１収納空間１６の頂端を密封する。
【００１２】
パイプ４０から供給される栄養剤(mutrient)４１は決まった時間にバッグ２０内部の栽培培地に滴下し、余分な栄養剤４１は前記貫通孔２２から排出されて、溝部１１２と排水孔１１１に流れて排水される。このようにして、バッグ２０の最下段には適量の栄養剤４１が蓄積されて、2回ごとに滴下時間の間隔を空けて栽培培地に必要な湿度と養分を栽培作物に安定して供給する（図５参照）。
【００１３】
作物５０がかなりの高さまで生長した段階で作物を引っ張ると、第１切欠き部１２１又は第２切欠き部１３１から外部へと伸びて引き続き生長することができる（図５参照）。なお、夏場など暑い時期、上蓋３０を所定位置に被せて、日光が培地の水分を急速に蒸発させて干上がらせ、作物５０の成長に不利となるのを防止し、また、冬場など寒い時期、前記上蓋３０は保温効果を高めることができる。
【００１４】
本考案のバッグ２０に収納される栽培培地の量が少ないため、?期の作物の栽培が終了すると、バッグ２０と栽培培地を直接廃棄して新しいものに交換し、リサイクルしないので、連作障害の悩みを解決でき、作物の生産量と品質の向上に寄与する。
【００１５】
［第２実施形態］
本考案の第２実施形態の構成を図７から図９に示す。本考案は、底板６１とこれに接続された左側板６２、右側板６３、前板６４、後板６５を有し、その内部はいくつの仕切板６６によって、所定数の第3収納空間６７に分割されて、前記第3収納空間６７の底部に何れも排水孔６８が開設され、前板６４、後板６５と仕切板６６には第３切欠き部６９が対応して開設され、また、前記第3収納空間６７の側辺はそれぞれ第４切欠き部６７１が設けられたベース部６０と、発泡スチロールといった保温素材で製造され、ベース部６０の頂部に位置決め可能な上蓋板８０とを備える。
【００１６】
ちなみに、バッグ７０は個別に第3収納空間６７内に位置決めして設置されるが、その構造は第１実施形態と同じである。
【００１７】
図１０、１１は第２実施形態の使用状況を示しているが、前記第３切欠き部６９はパイプ４０の位置を決めて、栄養剤４１を間隔を空けてバッグ７０の栽培培地７１に決まった時間に滴下することができる。
【００１８】
上述の実施形態は本考案の技術思想及び特徴を説明するためのものにすぎず、当業者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１９】
１０  ベース部
１１  底板
１１１  排水孔
１１２  溝部
１２  左側板
１２１  第１切欠き部
１３  右側板
１３１  第２切欠き部
１４  前板
１５  後板
１６  第1収納空間
２０  バッグ
２１  第2収納空間
２２  貫通孔
３０  上蓋
４０  パイプ
４１  栄養剤
５０  作物
６０  ベース部
６１  底板
６２  左側板
６３  右側板
６４  前板
６５  後板
６６  仕切板
６７  第3収納空間
６７１  第４切欠き部
６８  排水孔
６９  第3切欠き部
７０  バッグ
７１  栽培培地
８０  上蓋板
【図１】
0003198205.tif 000003
【図２】
0003198205.tif 000004
【図３】
0003198205.tif 000005
【図４】
0003198205.tif 000006
【図５】
0003198205.tif 000007
【図６】
0003198205.tif 000008
【図７】
0003198205.tif 000009
【図８】
0003198205.tif 000010
【図９】
0003198205.tif 000011
【図１０】
0003198205.tif 000012
【図１１】
0003198205.tif 000013